(57)【要約】【課題】  閉じた状態におけるカバーフレームの位置が上下に変動しても、カバーフレームを本体フレームに確実にロック可能なプリンタのカバーロック機構を提案すること。【解決手段】  プリンタ１のカバーフレーム１３は本体フレーム１２に対して、その後端を中心として開閉可能に取り付けられ、ロック機構４０によってカバーフレーム１３が本体フレーム１２にロックされる。ロック機構４０は、左右にスライド可能にカバーフレーム１３の前端部に取り付けたロック板４１の左端に形成したロックレバー４４と、本体フレーム１２に形成したフック４２とを備えている。カバーフレーム１３を閉じると、ロックレバー４４がフック４２に当たった後はロック板４１が左側にスライドしながらロックレバー４４がフック４２を乗り上げ、それから右側にスライドして、ロックレバー４４の係止面５１ｃが下側からフック４２のロックレバー係止面４２ｃに係止してロック状態が形成される。【選択図】  図８
2004255865.tif 000002
【特許請求の範囲】
【請求項１】
本体フレーム（１２）と、前記本体フレームに対して開閉可能に取り付けられたカバーフレーム（１３）と、閉じ状態にある前記カバーフレームを前記本体フレームにロックするためのカバーロック機構とを有するプリンタにおいて、
前記カバーロック機構は、ロックレバー（４４）と、前記ロックレバーが係止可能なフック（４２）とを備えており、
前記ロックレバーおよび前記フックは、前記カバーフレームの開閉中心軸線にほぼ平行な方向に、相対的にスライド可能であり、
前記ロックレバーが前記フックに対して第１の方向にスライドして、前記ロックレバーと前記フックの係止状態が形成され、前記ロックレバーが前記フックに対して前記第１の方向とは逆の第２の方向にスライドすると前記ロックレバーと前記フックの係止状態が解除されるようになっていることを特徴とするカバーロック機構付きプリンタ。
【請求項２】
請求項１において、
前記ロックレバーは前記カバーフレームに配置されており、
前記フックは前記本体フレームに配置されていることを特徴とするカバーロック機構付きプリンタ。
【請求項３】
請求項２において、
前記ロックレバーを所定距離だけスライド可能な状態で前記カバーフレームに取り付けている取り付け部（４３ａ、４８ａ、４３ｂ、４８ｂ）と、
前記ロックレバーを前記第１の方向に付勢している付勢部材（４７）とを有していることを特徴とするカバーロック機構付きプリンタ。
【請求項４】
請求項３において、
前記フックは、前記カバーフレームの開閉による前記ロックレバーの移動軌跡に干渉する位置において、前記本体フレームから前記ロックレバーのスライド方向に突出していることを特徴とするカバーロック機構付きプリンタ。
【請求項５】
請求項４において、
前記フックは、前記第２の方向に向けて前記カバーフレームの閉じ方向に傾斜しているロックレバーガイド面（４２ａ）と、前記ロックレバーガイド面に対して前記カバーフレームの閉じ方向の側に形成されているロックレバー係止面（４２ｃ）とを備えており、
前記ロックレバーは、前記カバーフレームが前記閉じ状態の近傍位置に至ると前記ロックレバーガイド面に当接し、前記カバーフレームの閉じ状態への移動に伴って前記ロックレバーガイド面に沿って前記第２の方向にスライドし、前記ロックレバーガイド面から外れると前記付勢部材の付勢力によって前記第１の方向にスライドして、前記ロックレバー係止面に係止された状態になることを特徴とするカバーロック機構付きプリンタ。
【請求項６】
請求項５において、
前記フックの前記ロックレバー係止面は、前記第２の方向に向けて前記カバーフレームの開き方向に所定の角度で傾斜している傾斜面であることを特徴とするカバーロック機構付きプリンタ。
【請求項７】
請求項４において、
手動操作部材（８）と、
前記手動操作部材を操作すると、前記フックに係止している前記ロックレバーを前記第２の方向にスライドさせるロック解除レバー（６２）とを有していることを特徴とするカバーロック機構付きプリンタ。
【請求項８】
請求項７において、
一方の端部に前記ロックレバーを、他方の端部に前記ロック解除レバーと当接可能な当接部（４６）を備えたロック部材（４１）を有し、
前記ロック解除レバーは第１の突起（６４）を備えており、
前記手動操作部材の操作に応じて前記ロック解除レバーが回転することにより、前記第１の突起が、前記ロック部材の前記当接部と当接して、前記ロックレバーを第２の方向にスライドさせることを特徴とするカバーロック機構付きプリンタ。
【請求項９】
請求項８において、
前記ロック部材の前記当接部または前記ロック解除レバーの前記第１の突起のうち少なくとも一方は、前記第２の方向に向けて前記ロック解除レバーの回転方向と反対の方向に傾斜しているガイド面（６４ａ）を備えていることを特徴とするカバーロック機構付きプリンタ。
【請求項１０】
請求項８において、
前記ロック解除レバーは第２の突起（６５）を備え、前記手動操作部材の操作に応じて前記ロック解除レバーが回転することにより、前記第１の突起が、前記ロック部材の前記当接部と当接して、前記ロックレバーを前記第２の方向にスライドさせると共に、前記第２の突起が、前記カバーフレームに下方から当接して、前記カバーフレームを開き方向へ移動させることを特徴とするカバーロック機構付きプリンタ。
【請求項１１】
請求項１ないし１０のうちのいずれかの項において、
前記本体フレームに配置されたサーマルヘッド（１７）と、
前記カバーフレームを閉じると前記サーマルヘッドに当接するように、前記カバーフレームの先端部に取り付けたプラテンローラ（１６）と、
前記カバーフレームの閉じ状態において、前記サーマルヘッドを前記プラテンローラに押し付け可能な弾性部材（１８）とを有していることを特徴とするカバーロック機構付きプリンタ。
【発明の詳細な説明】
【技術分野】
【０００１】
本発明は、ＰＯＳシステム、キャッシュレジスタ等に用いられるプリンタに関するものである。更に詳しくは、本発明は、プリンタの本体フレームに対してカバーフレームが開閉可能に取り付けられたプリンタにおいて、カバーフレームを本体フレームにロックするカバーロック機構に関するものである。
【背景技術】
【０００２】
ＰＯＳシステムなどにおいては、ロール紙に印字を行うサーマルプリンタが広く用いられている。この種のプリンタでは、プリンタの本体フレームに開閉可能にカバーフレームを取り付け、カバーフレームを開けると、ロール紙装填部が全開状態になり、ロール紙の交換作業を簡単に行うことのできる構造のものが知られている。また、カバーフレームの先端部にプラテンローラを取り付け、カバーフレームを開けると、サーマルヘッドからプラテンローラを分離できるようにし、これらの間を通してロール紙をセットする作業を簡単にできるように構成されたものも知られている。
【０００３】
このようなカバーフレームを備えたプリンタでは、一般に、カバーフレームが不用意に開いてしまうことの無いように、カバーフレームを本体フレームにロックするカバーロック機構が備わっている。特に、ロール紙などの記録紙を逆送り可能なプリンタでは、逆送り時にカバーフレームが開き易いので、カバーロック機構が不可欠である。
【０００４】
従来において用いられているカバーロック機構は、一般に、図１０（ａ）に示すように、カバーフレーム１０１の側に取り付けられたロックレバー１０２と、本体フレーム１０３の側に取り付けられたフック１０４とを備えている。ロックレバー１０２は、その上端がカバーフレーム１０１の回転中心軸線１０１ａに平行な回転中心軸線１０２ａを中心として回転自在の状態でカバーフレーム１０１に取り付けられ、前後方向に旋回可能である。カバーフレーム１０１の開閉によるロックレバー１０２の先端部の移動軌跡上には、本体フレーム１０３の側に形成されたフック１０４が配置されており、ロックレバー１０２は、ねじりばね等によって常にフック１０４に係止する側に付勢されている。
【０００５】
カバーフレーム１０１を閉じると、ロックレバー１０２の先端部がフック１０４に当たり、この後は、ロックレバー１０２が一旦反時計回り方向に旋回して、フック１０４を乗り越える。図１０（ｂ）に示すように、カバーフレーム１０１を完全に閉じた状態では、ロックレバー１０２の先端部に形成されている係止面１０２ｂがフック１０４の下面１０４ａに対して下側から係止したロック状態が形成される。
【０００６】
また、カバーフレーム１０１の先端部にはプラテンローラ１０５が取り付けられており、カバーフレーム１０１を閉じた状態では、プラテンローラ１０５が本体フレーム１０３側に配置されているサーマルヘッド１０６の表面に当接した状態になる。
【０００７】
このような構造のカバーロック機構を備えたプリンタは、例えば下記の特許文献に開示されている。
【０００８】
【特許文献１】特開平９−２４００８３号公報（図６、７参照）
【発明の開示】
【発明が解決しようとする課題】
【０００９】
しかしながら、上記構成のカバーロック機構においては次のような問題点がある。カバーフレーム１０１の閉じ位置は、例えば、図１０（ｂ）に示すように、カバーフレーム１０１の側に形成されたプラテンローラ１０５の回転軸１０５ａを受ける軸受部１０７によって規定される。カバーフレーム１０１の製造誤差や、軸受部１０７の位置に誤差があると、カバーフレーム１０１の閉じ位置が変動する。特に、カバーフレーム１０１の閉じ位置が上下に変動し易い。
【００１０】
カバーフレーム１０１の閉じ位置が上下に変動すると、カバーフレーム１０１に取り付けたロックレバー１０２と、本体フレーム１０３側のフック１０４との相対位置が変化する。特に、カバーフレーム１０１の閉じ位置が上側にずれた場合には、図１０（ｃ）に示すように、ロックレバー１０２の係止面１０２ｂがフック１０４の下側に充分に入り込むことができない。この結果、ロックレバー１０２は、適切に係止した状態（図１０（ｂ））における姿勢に比べて、後方に傾斜した姿勢となり、フック１０４の下面１０４ａに対する係止面１０２ｂの角度（係止角度θ）が大きくなってしまう。よって、ロックレバー１０２とフック１０４との係止力が弱くなり、ロックが外れ易い状態になってしまう。
【００１１】
本発明の課題は、この点に鑑みて、カバーフレームの閉じ位置が上下に変動しても、確実にカバーフレームを本体フレームの側にロックすることのできるカバーロック機構を備えたプリンタを提案することにある。
【課題を解決するための手段】
【００１２】
上記の課題を解決するために、本発明は、本体フレームと、前記本体フレームに対して開閉可能に取り付けられたカバーフレームと、閉じ状態にある前記カバーフレームを前記本体フレームにロックするためのカバーロック機構とを有するプリンタにおいて、前記カバーロック機構は、ロックレバーと、前記ロックレバーが係止可能なフックとを備えており、前記ロックレバーおよび前記フックは、前記カバーフレームの開閉中心軸線にほぼ平行な方向に、相対的にスライド可能であり、前記ロックレバーが前記フックに対して第１の方向にスライドして、前記ロックレバーと前記フックの係止状態が形成され、前記ロックレバーが前記フックに対して前記第１の方向とは逆の第２の方向にスライドすると前記ロックレバーと前記フックの係止状態が解除されるようになっていることを特徴としている。
【００１３】
本発明では、ロックレバーがカバーフレームの開閉中心軸線に平行な方向に相対的にスライドしてフックとの係止状態が形成される。従って、ロックレバーが旋回してフックに係止する場合とは異なり、カバーフレームの閉じ位置が上下に変動しても、係止状態におけるロックレバーの姿勢が変化することが無い。よって、カバーフレームの閉じ位置の変動に起因してロックレバーとフックとの係止力が弱まり、カバーフレームのロックが不用意に解除されてしまうという弊害を防止できる。
【００１４】
ここで、一般的には、製造容易性などの観点から、前記ロックレバーを前記カバーフレームに配置し、前記フックを前記本体フレームに配置することが望ましい。
【００１５】
また、前記ロックレバーをスライド可能に前記カバーフレームに取り付ける機構としては、前記ロックレバーを所定距離だけスライド可能な状態で前記カバーフレームに取り付けている取り付け部と、前記ロックレバーを前記第１の方向に付勢している付勢部材とを備えた構成を採用できる。
【００１６】
次に、前記フックを、前記カバーフレームの開閉に伴う前記ロックレバーの移動軌跡に干渉する位置において、前記本体フレームから前記ロックレバーのスライド方向に突出させた構成を採用することができる。このようにすれば、カバーフレームを閉じる際に、ロックレバーがフックに当たるので、カバーフレームの閉じ動作に連動して、ロックレバーが第２の方向にスライドする。この後は、ロックレバーはフックから外れると付勢力によって第１の方向にスライドする。よって、フックに係止した状態を自動的に形成できる。
【００１７】
この場合、前記フックには、前記第２の方向に向けて前記カバーフレームの閉じ方向に傾斜しているロックレバーガイド面と、前記ロックレバーガイド面に対して前記カバーフレームの閉じ方向の側に形成されているロックレバー係止面とを形成しておけばよい。前記ロックレバーが、前記カバーフレームが前記閉じ状態の近傍位置に至ると前記ロックレバーガイド面に当接し、前記カバーフレームの閉じ状態への移動に伴って前記ロックレバーガイド面に沿って前記第２の方向に円滑にスライドし、前記ロックレバーガイド面から外れると前記付勢部材の付勢力によって前記第１の方向にスライドして、前記ロックレバー係止面に係止された状態が形成される。
【００１８】
ここで、前記フックの前記ロックレバー係止面は、前記第２の方向に向けて前記カバーフレームの開き方向に所定の角度で傾斜している傾斜面であることが望ましい。このようにすれば、カバーフレームの閉じ位置が上下しても、当該カバーフレームに取り付けられているロックレバーの係止面を確実にフックのロックレバー係止面に係止させることができる。
【００１９】
次に、前記ロックレバーを前記フックから解放する機構、すなわち、前記カバーフレームのロック解除機構としては、手動操作部材と、前記手動操作部材を操作すると、前記フックに係止している前記ロックレバーを前記第２の方向にスライドさせるロック解除レバーとを備えた構成を採用できる。
【００２０】
この場合、一方の端部に前記ロックレバーを、他方の端部に前記ロック解除レバーと当接可能な当接部を備えたロック部材を有し、前記ロック解除レバーが第１の突起を備えた構成を採用することができる。このようにすれば、前記手動操作部材の操作に応じて前記ロック解除レバーが回転して、前記第１の突起が前記ロック部材の前記当接部に当たるので、前記ロックレバーが第２の方向にスライドする。
【００２１】
ここで、前記ロック部材の前記当接部または前記ロック解除レバーの前記第１の突起のうち少なくとも一方は、前記第２の方向に向けて前記ロック解除レバーの回転方向と反対の方向に傾斜しているガイド面を備えていることが望ましい。このようにすれば、ロック解除レバーの回転量に応じてロックレバーを徐々に第２の方向にスライドさせることができ、ロック解除レバーの回転をロックレバーの第２の方向へのスライドに円滑に変換することができる。
【００２２】
次に、前記ロック解除レバーは第２の突起を備え、前記手動操作部材の操作に応じて前記ロック解除レバーが回転することにより、前記第１の突起が、前記ロック部材の前記当接部と当接して、前記ロックレバーを前記第２の方向にスライドさせると共に、前記第２の突起が、前記カバーフレームに下方から当接して、前記カバーフレームを開き方向へ移動させる構成を採用することができる。このようにすれば、ロックレバーをフックからより確実に解放させることができる。
【００２３】
一方、本発明はサーマルヘッドを備えたプリンタに適用することができ、この場合には、前記本体フレームに配置されたサーマルヘッドと、前記カバーフレームを閉じると前記サーマルヘッドに当接するように、前記カバーフレームの先端部に取り付けたプラテンローラと、前記カバーフレームの閉じ状態において、前記サーマルヘッドを前記プラテンローラに押し付け可能な弾性部材とを備えた構成とすればよい。
【発明の効果】
【００２４】
本発明のプリンタにおいては、本体フレームおよびカバーフレームの一方の側にロックレバーを取り付け、他方の側にフックを取り付けてカバーロック機構を構成し、これらロックレバーおよびフックを、カバーフレームの開閉によって相対的に、カバーフレームの開閉中心軸線にほぼ平行な方向にスライドさせてロック状態を形成するようにしている。
【００２５】
従って、本発明によれば、ロックレバーをカバーフレームの開閉中心軸線に平行な中心軸線の回りに旋回させてロック状態を形成している従来のカバーロック機構とは異なり、カバーフレームの閉じ状態における位置が上下に変動しても、ロック状態を確実に形成できるという効果を奏する。
【発明を実施するための最良の形態】
【００２６】
以下に、図面を参照して、本発明を適用したプリンタの好ましい実施の形態を説明する。
【００２７】
図１は本実施の形態に係るプリンタの外観を示す斜視図である。本実施の形態に係るプリンタ１は、例えば、ＰＯＳシステムにおいてレシートプリンタとして用いられるものである。
【００２８】
プリンタ１は、上ケース２および下ケース３からなる樹脂製の外装ケース４の内部に後述の各構成部分が配置されている。上ケース２の上面は前側が低くなるように傾斜した傾斜面とされ、この上面の前側の部位には記録紙５の排出口６が形成されている。この排出口６よりも後側の上面部分は、開閉カバー７とされている。開閉カバー７は、後端側の部位を中心として開閉可能であり、開閉カバー７の右側に配置されているオープンボタン８（手動操作部材）を押すことにより開けることができる。オープンボタン８の後側の部位には、表示盤９が配置されている。開閉カバー７を全開にすると、記録紙ロール５ａの装填部１５（図２〜図４参照）が全開状態になり、上側から記録紙ロール５ａを当該装填部１５に装填することができる。
【００２９】
図２および図３は外装ケース４を外してプリンタ内部機構を示す図であり、図２は右側手前から見た場合の斜視図、図３は左側手前から見た場合の斜視図である。また、図４はプリンタ内部機構の概略断面図である。これらの図を参照して説明すると、プリンタ内部機構１１は、本体フレーム１２と、この本体フレーム１２に後端部１３ａが回転自在に取り付けられたカバーフレーム１３とを中心に構成されている。カバーフレーム１３の後端部１３ａは、プリンタ幅方向に延びる開閉中心軸１３ｂを中心に上下方向に開閉可能である。カバーフレーム１３には開閉カバー７が取り付けられ、カバーフレーム１３の開閉と共に開閉カバー７が開閉する。上ケース２、下ケース３、オープンボタン８及び表示盤９は、本体フレーム１２の側に取り付けられている。
【００３０】
本体フレーム１２の後側の部位には湾曲状の樹脂板１４が取り付けられ、記録紙ロール５ａの装填部１５が形成されている。図４に示すように、この装填部１５に装填されている記録紙ロール５ａから繰り出された記録紙５は、プラテンローラ１６とサーマルヘッド１７の間を通って上方に搬送される間に、サーマルヘッド１７によって印字が行われる。印字後の記録紙５は、排出口６から外部に排出される。サーマルヘッド１７は、本体フレーム１２の側に支持されている。プラテンローラ１６は、カバーフレーム１３の前端部に回転自在に取り付けられている。図４に示すように、カバーフレーム１３が閉じられた状態では、押圧ばね１８によって、サーマルヘッド１７がプラテンローラ１６に押し付けられた状態が形成される。
【００３１】
本体フレーム１２の左側の側板部分２１の内側には紙送りモータ２２が取り付けられて、そのモータ回転軸２３の先端部分が側板部分２１から外側に突出しており、ここにピニオン２４が取り付けられている。ピニオン２４は、側板部分２１の外側に回転自在に支持されている駆動側複合歯車２５に噛み合っている。本例では、紙送りモータ２２と駆動側複合歯車２５は取り付け板２７に取り付けられ、この取り付け板２７がねじ２８により側板部分２１に固定されている。駆動側複合歯車２５は、カバーフレーム１３の側の従動側歯車２６に噛み合っている。従動側歯車２６は、カバーフレーム１３に搭載されているプラテンローラ１６のローラ軸１６ａの端部に固定されたものである。従って、カバーフレーム１３を閉じた状態において、従動側歯車２６が駆動側複合歯車２５に噛み合った状態が形成され、紙送りモータ２２の回転力がプラテンローラ１６に伝達可能になる。カバーフレーム１３を開けると、従動側歯車２６が駆動側複合歯車２５から離れる。
【００３２】
次に、排出口６の直下には、オートカッターユニット３０が配置されている。オートカッターユニット３０は、本体フレーム１２の側に搭載されている可動刃ユニット３１と、カバーフレーム１３の前端部の上面に搭載されている固定刃３２とを備えている。固定刃３２はプリンタ幅方向に延びており、可動刃ユニット３１の可動刃３１ａは、駆動モータ３３によって、プリンタ幅方向の一端を中心として固定刃３２の側に旋回可能である。可動刃３１ａを旋回させることにより、印字された記録紙５を切断して、レシートなどとして排出することができる。
【００３３】
次に、本体フレーム１２とカバーフレーム１３の間には、閉じ状態にあるカバーフレーム１３を本体フレーム１２にロックするロック機構４０が構成されている。図２〜図６を参照して本例のロック機構４０を説明する。図５および図６はプリンタ内部機構１１の本体フレーム１２およびカバーフレーム１３を取り出して示す図であり、図５はカバーフレーム１３が半開きの状態を右手前側から見た場合の斜視図、図６はカバーフレーム１３が半開きの状態を左手前側から見た場合の斜視図である。
【００３４】
本例のロック機構４０は、カバーフレーム１３の前端部に搭載されたロック板４１（ロック部材）と、本体フレーム１２の左側の側板部分２１に取り付けたフック４２とを備えている。ロック板４１は、カバーフレーム１３の前端部の上側をプリンタ幅方向に水平に延びている水平板部分４３と、水平板部分４３の左側の端から下方に直角に折れ曲がって延びているロックレバー４４と、水平板部分４３の右側の端から下方に直角に折れ曲がって延びているレバー４５とを備えている。
【００３５】
水平板部分４３の左右の端部分には、図３に示すように、プリンタ幅方向に長い長孔４３ａ、４３ｂが形成されている。これらの長孔４３ａ、４３ｂには、カバーフレーム１３の前端部に固定された円柱状のガイドピン４８ａ、４８ｂが通されている。従って、これら長孔４３ａ、４３ｂおよびガイドピン４８ａ、４８ｂからなる取り付け部によって、ロック板４１はプリンタ幅方向（開閉中心軸１３ｂの中心軸線に平行な方向）に向けて所定の範囲でスライド可能である。本例では、ガイドピン４８ａ、４８ｂとして鍔付ねじ（カップスクリュー）を採用することにより、ロック板４１をスライド可能に支持すると共に、ロック板４１の上方への抜けを防止している。
【００３６】
また、カバーフレーム１３の前端部の右端部分とロック板４１の水平板部分４３との間には、引張り状態でコイルばね４７が架け渡されている。従って、ロック板４１は常に右側に偏倚した状態に保持されている。
【００３７】
ロック板４１のロックレバー４４は、カバーフレーム１３の左端外側から下方に向けて延びている。このロックレバー４４の下端部には、そのプリンタ後側の端面からプリンタ前方に切り欠くことにより形成した凹部５１が形成されている。この凹部５１は、プリンタ前側に傾斜している傾斜端面部分５１ａと、この下端に連続して下方に延びる垂直端面部分５１ｂと、この下端からプリンタ後側に直交する方向に延びる水平端面部分５１ｃとによって規定されている。この水平端面部分５１ｃがフック４２に係止する係止面として機能する。
【００３８】
一方、フック４２は、カバーフレーム１３の開閉による、ロックレバー４４の係止面（水平端面部分）５１ｃよりも下側の先端部分４４ａの移動軌跡に干渉する位置に配置されている。このフック４２は、本体フレーム１２の左側の側板部分２１から外方に直角に突出した台形形状をしている。本例では、取り付け板２７の上端部分を前後方向に折り曲げてフック４２を形成している。台形状のフック４２は、その上側の端面が、下方に向けて傾斜したガイド面４２ａとされ、このガイド面４２ａの下端に連続して下方に垂直に延びる垂直頂面４２ｂが形成され、この垂直頂面４２ｂの下端に連続して下方に向けて傾斜したロックレバー係止面４２ｃが形成されている。
【００３９】
次に、図７、図８を参照して、このように構成したロック機構４０によるカバーフレーム１３をロックする動作を説明する。図７はカバーフレーム１３が半開きの状態を示す模式図であり、図８はロック機構４０の動作を示すための説明図である。図７に示すようにカバーフレーム１３が開いているとする。この状態では、ロック板４１はコイルばね４７によって右側に偏倚している（図８のＡの位置）。カバーフレーム１３を閉じると、ロック板４１のロックレバー４４の先端部分４４ａが本体フレーム１２側のフック４２に当たる（図８のＢの位置）。カバーフレーム１３を更に閉じると、ロックレバー４４の先端部分４４ａがフック４２の上側の傾斜したガイド面４２ａに沿ってフック４２に乗り上げながら、コイルばね４７のばね力に逆らってロック板４１が全体として左側にスライドして、閉じる方向に移動する（図８のＣの位置）。ロックレバー４４の係止面５１ｃがフック４２の垂直頂面４２ｂを越えるまでカバーフレーム１３を閉じると、フック４２がロックレバー４４の凹部５１に嵌り込み、ロック板４１がばね力によって全体として右側にスライドする。この結果、ロックレバー４４の係止面５１ｃが、フック４２のロックレバー係止面４２ｃに、下側から係止された状態が形成される（図８のＤの位置）。これにより、カバーフレーム１３が本体フレーム１２にロックされた状態になる。すなわち、カバーフレーム１３（開閉カバー７）の閉動作に伴って、ロックレバー４４（ロック板４１）は矢印Ｔに示すように移動し、フック４２に係止される。
【００４０】
ここで、組み付け誤差や製造誤差などに起因して、カバーフレーム１３を完全に閉じた状態の位置が上下に変動した場合には、図９にＤ１、Ｄ２、Ｄ３で示すようにフック４２に対するロックレバー４４の位置が上下に変動する。
【００４１】
しかしながら本例では、ロックレバー４４はプリンタ幅方向にスライドしてその凹部５１にフック４２が嵌め込まれる。従って、ロックレバー４４の係止面５１ｃが上下に変動しても、当該係止面５１ｃとフック４２のロックレバー係止面４２ｃの角度（係止角度θ）が変化することはない。
【００４２】
また、本例では、ロックレバー係止面４２ｃは上方に僅かに傾斜した傾斜面とされている。よって、カバーフレーム１３の閉じ状態での位置が上下に変動しても、ロックレバー４４の係止面５１ｃが確実にフック４２のロックレバー係止面４２ｃに係止される。また、カバーフレーム１３の閉じ状態での位置が上側に変動しても、係止角度θが大きくなり係止力が低減してロックが簡単に外れてしまうことはない。
【００４３】
次に、本例のプリンタ１における、ロック機構４０によるロックを解除するためのロック解除機構について説明する。図１〜図６を参照して説明すると、ロック解除機構６０は、前述の手動式のオープンボタン８と、本体フレーム１２の右側の側板部分６１に配置されている回転式のロック解除レバー６２と、ロック板４１のレバー４５に形成された当接部４６を備えている。オープンボタン８はコイルばね等により上方に付勢され、ロック解除レバー６２はねじりばね等により反時計回り方向に付勢されて、図２に示す位置に位置している。
【００４４】
ロック解除レバー６２は、回転中心軸６２ａを中心に上下方向に回転可能であり、回転中心軸６２ａからそれぞれ後方、上方に延出した突起６３、６４を備えている。突起６４（第１の突起）には、側板部分６１に接近する方向に傾斜している傾斜面６４ａが形成されている。オープンボタン８が押し下げられると、オープンボタン８の下側に形成された当接面８ａがロック解除レバー６２の突起６３を下方に押し下げ、これによってロック解除レバー６２は時計回りに回転する。ロック解除レバー６２が回転すると、突起６４の傾斜面６４ａによってロック板４１の当接部４６がプリンタ幅方向の内側に向けて押し込まれる。この結果、ロック板４１はコイルばね４７のばね力に逆らって左側にスライドする。これにより、ロック板４１のロックレバー４４がフック４２から側方に外れた状態になる。
【００４５】
また、ロック解除レバー６２には、回転中心軸６２ａから前方に延出した突起６５（第２の突起）が形成されている。ロックレバー４４がフック４２から側方に外れた状態になった後、ロック解除レバー６２が更に回転すると、この突起６５が下側からカバーフレーム１３の下面１３ｃに当たりカバーフレーム１３を押し上げる。
【００４６】
従って、これらロック板４１のスライドとカバーフレーム１３の押し上げ動作とによって、ロック機構４０によるロックが解除され、カバーフレーム１３（開閉カバー７）を開くことができる。
【００４７】
（その他の実施の形態）
上記のプリンタ１はサーマルプリンタであるが、インクジェットヘッド、インパクトヘッドなどを備えたプリンタについても本発明を同様に適用可能である。
【００４８】
また、上記の例では、カバーフレームの側にロックレバーをスライド可能に取り付け、本体フレームの側にフックを取り付けているが、カバーフレームの側にフックを取り付け、本体フレームの側にロックレバーをスライド可能に取り付けてもよい。
【００４９】
さらには、上記の例では、ロックレバーをスライド可能に構成したが、フックをスライド可能に構成してもよい。
【００５０】
また、上記の例では、ロック解除レバー側に傾斜面を形成したが、ロックレバーの当接部に傾斜面を形成してもよいし、双方に傾斜面を形成してもよい。
【図面の簡単な説明】
【００５１】
【図１】本発明を適用したサーマルプリンタの外観斜視図である。
【図２】図１のプリンタの内部機構を示す斜視図である。
【図３】図１のプリンタの内部機構を示す斜視図である。
【図４】図１のプリンタの内部機構を示す概略断面図である。
【図５】図１のプリンタの本体フレーム、カバーフレームを示す斜視図である。
【図６】図１のプリンタの本体フレーム、カバーフレームを示す斜視図である。
【図７】図１のプリンタにおけるカバーフレームが半開きの状態を示す模式図である。
【図８】図１のプリンタにおけるカバーロック機構の動作を示すための説明図である。
【図９】図１のプリンタにおけるカバーロック機構の作用効果を示すための説明図である。
【図１０】従来のプリンタにおけるカバーロック機構、その動作および問題点を示すための説明図である。
【符号の説明】
【００５２】
１  プリンタ、４  外装ケース、５  記録紙、５ａ  記録紙ロール、６  排出口、７  開閉カバー、８  オープンボタン、１１  プリンタ内部機構、１２  本体フレーム、１３  カバーフレーム、１３ｂ  開閉中心軸、１５  装填部、１６  プラテンローラ、１７  サーマルヘッド、１８  押圧ばね、３０  オートカッターユニット、４０  ロック機構、４１  ロック板、４２  フック、４２ａ  ガイド面、４２ｃ  ロックレバー係止面、４３  水平板部分、４３ａ、４３ｂ  長孔、４４  ロックレバー、４４ａ  ロックレバーの先端部分、４５  レバー、４６  当接部、４７  コイルばね、４８ａ、４８ｂ  ガイドピン、５１  凹部、５１ｃ  係止面、６０  ロック解除機構、６２  ロック解除レバー、６３  突起、６４  突起、６４ａ  傾斜面、６５  突起
【図１】
2004255865.tif 000003
【図２】
2004255865.tif 000004
【図３】
2004255865.tif 000005
【図４】
2004255865.tif 000006
【図５】
2004255865.tif 000007
【図６】
2004255865.tif 000008
【図７】
2004255865.tif 000009
【図８】
2004255865.tif 000010
【図９】
2004255865.tif 000011
【図１０】
2004255865.tif 000012